(57)【要約】【課題】製造が簡単であり、金型費用、製造コスト及び販売コストを大幅に節約することができる組合せ式玩具車両用磁性レール構造を提供する。【解決手段】組合せ式玩具車両用磁性レール構造は、地面に敷設される磁気吸引底板１０と、磁気吸引底板１０上に吸着され、玩具車両３０の車輪３１をガイドしながら移動させるために用いる磁性レール２０とを備える。磁気吸引底板１０は、鉄板層１１を有する。磁性レール２０は、一体成形された磁性部材からなる上、鉄板層１１に吸着される。磁気吸引底板１０は、鉄板層１１を有する。磁性レール２０は、複数の磁性レール部２１が組合されて構成され、各磁性レール部２１は、磁性部材からなる上、鉄板層１１に吸着される。磁性部材は、硬質磁石又は軟質磁石である。【選択図】図４
0003168208.tif 000002
【実用新案登録請求の範囲】
【請求項１】
地面に敷設される磁気吸引底板と、
前記磁気吸引底板上に吸着され、玩具車両の車輪をガイドしながら移動させるために用いる磁性レールと、を備えることを特徴とする組合せ式玩具車両用磁性レール構造。
【請求項２】
前記磁気吸引底板は、鉄板層を有し、
前記磁性レールは、一体成形された磁性部材からなり、前記鉄板層に吸着されることを特徴とする請求項１に記載の組合せ式玩具車両用磁性レール構造。
【請求項３】
前記磁気吸引底板は、鉄板層を有し、
前記磁性レールは、複数の磁性レール部が組合されて構成され、前記各磁性レール部は、磁性部材からなり、前記鉄板層に吸着されることを特徴とする請求項１に記載の組合せ式玩具車両用磁性レール構造。
【請求項４】
前記磁性部材は、硬質磁石又は軟質磁石であることを特徴とする請求項２又は３に記載の組合せ式玩具車両用磁性レール構造。
【請求項５】
前記磁気吸引底板は、鉄板層を有し、
前記磁性レールは、複数の磁性レール部が組合されて構成され、前記各磁性レール部は、非磁性本体と、前記非磁性本体上に接着される複数の磁石と、を有し、前記鉄板層に吸着されることを特徴とする請求項１に記載の組合せ式玩具車両用磁性レール構造。
【請求項６】
前記磁気吸引底板は、鉄板層を有し、
前記磁性レールは、何れか２つの磁性板体が組合されることによって形成される隙間が直列接続されることによって構成され、前記各磁性板体は、磁性部材からなり、前記鉄板層に吸着されることを特徴とする請求項１に記載の組合せ式玩具車両用磁性レール構造。
【請求項７】
前記磁気吸引底板は、前記鉄板層の外部に貼着されるパターン層を有することを特徴とする請求項２、３又は６に記載の組合せ式玩具車両用磁性レール構造。
【請求項８】
前記磁性レールの幅は、前記玩具車両の車輪を跨設して移動させることができる幅であり、
前記磁性レールの厚さにより、前記玩具車両は、前記磁性レールにガイドされながら移動することを特徴とする請求項２又は３に記載の組合せ式玩具車両用磁性レール構造。
【請求項９】
前記磁気吸引底板上に磁石を介して吸着される少なくとも１つの装飾品をさらに備えることを特徴とする請求項２、３又は６に記載の組合せ式玩具車両用磁性レール構造。
【請求項１０】
多数の磁気吸引底板を接続するために用いられる少なくとも１つの磁性固定板をさらに備え、
前記磁性固定板は、磁性部材からなる上、前記磁気吸引底板の地面と接触する底面上に吸着されることを特徴とする請求項２、３又は６に記載の組合せ式玩具車両用磁性レール構造。
【請求項１１】
前記複数の磁性レール部は、組合されることにより、一繋がりの楕円形のレールを構成することを特徴とする請求項３に記載の組合せ式玩具車両用磁性レール構造。
【請求項１２】
前記複数の磁性レール部は、組合されることにより、Ｓ字形のレールを構成することを特徴とする請求項３に記載の組合せ式玩具車両用磁性レール構造。
【請求項１３】
前記複数の磁性レール部は、組合されることにより、Ｕ字形のレールを構成することを特徴とする請求項３に記載の組合せ式玩具車両用磁性レール構造。
【請求項１４】
前記玩具車両の車輪は、前記玩具車両の底部中央に配置され、
前記磁性レールの上表面には、前記車輪をガイドしながら移動させるために用いるガイド溝が設けられることを特徴とする請求項２又は３に記載の組合せ式玩具車両用磁性レール構造。
【請求項１５】
前記ガイド溝の幅は、前記車輪の幅より広く、これにより、前記ガイド溝内に設置された前記車輪は、前記ガイド溝によってガイドされながらスムーズに移動することを特徴とする請求項１４に記載の組合せ式玩具車両用磁性レール構造。
【考案の詳細な説明】
【技術分野】
【０００１】
本考案は、玩具に関し、特に、組合せ式玩具車両用磁性レール構造に関する。
【背景技術】
【０００２】
現在、様々な種類の玩具車両用レール構造が市販されている。一般に、従来の玩具車両用レール構造は、底板と、底板上に固定されるレールと、を含む。底板には、遊戯性を高めるために、背景パターンが描かれる。玩具車両は、レール上を移動する。また、レールは、プラスチックからなる多数のレール部を含む。多数のレール部が互いに接続されることにより、玩具車両が移動する一本のレールが形成される。
【０００３】
しかし、上述の従来の玩具は、以下（１）〜（３）の欠点を有する。
（１）底板及びレールがいずれもプラスチック材料からなるため、メーカは、各種の玩具車両に合わせ、異なる金型をそれぞれ製作し、多種の底板及びレールを製造する必要がある。これにより、金型費用及び製造コストが増大する。また、販売業者も多種の底板及びレールを在庫する必要があるため、販売コストが増大する。
（２）従来のレール構造のレール部は、係合方式によって一本のレールに接続される。また、レール部がスライドするのを防止するために、レール部を追加的に底板上に固定する必要がある。そのため、底板を製造するとき、底板にレール部を係合固定する固定部を設ける必要がある。しかし、これにより、底板を製造するときの難度が高まる。さらに、レール部と底板との固定方式を任意に変更することができないため、遊戯性及び多様性が大幅に限定されてしまう。
（３）底板及びレールがプラスチック材料からなるため、底板及びレールが成形されるとき、色及びパターンが決定されてしまう。これにより、ユーザの好みに応じて底板及びレールの色又はパターンを変更することができない上、底板上に他の装飾品を任意に配置することもできない。
【考案の概要】
【考案が解決しようとする課題】
【０００４】
本考案の主な目的は、製造が簡単であり、金型費用、製造コスト及び販売コストを大幅に節約することができる組合せ式玩具車両用磁性レール構造を提供することにある。
本考案のもう一つの目的は、レールを簡単に組合せることができる上、自在に配置して遊戯性及び多様性を高めることができる組合せ式玩具車両用磁性レール構造を提供することにある。
【課題を解決するための手段】
【０００５】
上記課題を解決するために、本考案の第１の形態によれば、地面に敷設される磁気吸引底板と、前記磁気吸引底板上に吸着され、玩具車両の車輪をガイドしながら移動させるために用いる磁性レールと、を備えることを特徴とする組合せ式玩具車両用磁性レール構造が提供される。
【０００６】
また、前記磁気吸引底板は、鉄板層を有し、前記磁性レールは、一体成形された磁性部材からなる上、前記鉄板層に吸着されることが好ましい。
【０００７】
また、前記磁気吸引底板は、鉄板層を有し、前記磁性レールは、複数の磁性レール部が組合されて構成され、前記各磁性レール部は、磁性部材からなる上、前記鉄板層に吸着されることが好ましい。
【０００８】
また、前記磁性部材は、硬質磁石又は軟質磁石であることが好ましい。
【０００９】
また、前記磁気吸引底板は、鉄板層を有し、前記磁性レールは、複数の磁性レール部が組合されて構成され、前記各磁性レール部は、非磁性本体と、前記非磁性本体上に接着される複数の磁石と、を有する上、前記鉄板層に吸着されることが好ましい。
【００１０】
また、前記磁気吸引底板は、鉄板層を有し、前記磁性レールは、何れか２つの磁性板体が組合されることによって形成される隙間が直列接続されることによって構成され、前記各磁性板体は、磁性部材からなる上、前記鉄板層に吸着されることが好ましい。
【００１１】
また、前記磁気吸引底板は、前記鉄板層の外部に貼着されるパターン層を有することが好ましい。
【００１２】
また、前記磁性レールの幅は、前記玩具車両の車輪を跨設して移動させることができる幅であり、前記磁性レールの厚さにより、前記玩具車両は、前記磁性レールにガイドされながら移動することが好ましい。
【００１３】
また、前記磁気吸引底板上に磁石を介して吸着される少なくとも１つの装飾品をさらに備えることが好ましい。
【００１４】
また、多数の磁気吸引底板を接続するために用いられる少なくとも１つの磁性固定板をさらに備え、前記磁性固定板は、磁性部材からなる上、前記磁気吸引底板の地面と接触する底面上に吸着されることが好ましい。
【００１５】
また、前記複数の磁性レール部は、組合されることにより、一繋がりの楕円形のレールを構成することが好ましい。
【００１６】
また、前記複数の磁性レール部は、組合されることにより、Ｓ字形のレールを構成することが好ましい。
【００１７】
また、前記複数の磁性レール部は、組合されることにより、Ｕ字形のレールを構成することが好ましい。
【００１８】
また、前記玩具車両の車輪は、前記玩具車両の底部中央に配置され、前記磁性レールの上表面には、前記車輪をガイドしながら移動させるために用いるガイド溝が設けられることが好ましい。
【００１９】
また、前記ガイド溝の幅は、前記車輪の幅より広く、これにより、前記ガイド溝内に設置された前記車輪は、前記ガイド溝によってガイドされながらスムーズに移動することが好ましい。
【考案の効果】
【００２０】
本考案の組合せ式玩具車両用磁性レール構造は、従来技術と比較し、以下（１）及び（２）の効果を有する。
（１）磁気吸引底板が薄型の鉄板を有するため、磁気吸引底板上に、磁石を介して他の装飾品を吸着させ、磁気吸引底板の背景及び装飾を変更することができる。また、磁性レール部が磁性部材（硬質磁石又は軟質磁石）からなるため、鉄製の磁気吸引底板上の任意の位置に、磁性レール部を吸着させ、様々な路線のレールを形成ことができる。さらに、磁性部材からなる磁性レール部上に着色することができるため、極めて高い遊戯性及び多様性を有する上、ユーザの想像力及び創造力を表現することができる。
（２）磁性レール部及び磁気吸引底板がプラスチック製品ではないため、メーカは、従来の磁性レール構造のように、様々な金型を製作し、様々な形状の磁性レール部を製造する必要がない。さらに、異なるレール路線毎に、対応する磁気吸引底板をそれぞれ設計する必要がない。これにより、金型コスト及び製造コストを節約することができる。また、販売業者も在庫種類及び販売コストを低減させることができる。
【図面の簡単な説明】
【００２１】
【図１】本考案の第１実施形態による組合せ式玩具車両用磁性レール構造を示す分解斜視図である。
【図２】本考案の第１実施形態による組合せ式玩具車両用磁性レール構造を示す斜視図である。
【図３】本考案の第２実施形態による組合せ式玩具車両用磁性レール構造を示す分解斜視図である。
【図４】本考案の第２実施形態による組合せ式玩具車両用磁性レール構造を示す斜視図である。
【図５】本考案の第２実施形態による組合せ式玩具車両用磁性レール構造の磁性レールの配列方式を示す平面図である。
【図６】本考案の第２実施形態による組合せ式玩具車両用磁性レール構造の磁性レールの配列方式を示す平面図である。
【図７】本考案の第３実施形態による組合せ式玩具車両用磁性レール構造を示す分解斜視図である。
【図８】本考案の第４実施形態による組合せ式玩具車両用磁性レール構造を示す分解斜視図である。
【図９】本考案の第４実施形態による組合せ式玩具車両用磁性レール構造を示す分解斜視図である。
【考案を実施するための形態】
【００２２】
以下、本考案の実施形態について図に基づいて説明する。なお、これによって本考案が限定されるものではない。
【００２３】
（第１実施形態）
図１及び図２を参照する。図１及び図２に示すように、本考案の第１実施形態による組合せ式玩具車両用磁性レール構造（以下、磁性レール構造１と称す）は、磁気吸引底板１０及び磁性レール２０を含む。
【００２４】
磁気吸引底板１０は、地面（図示せず）に敷設される。磁気吸引底板１０は、鉄板層１１と、鉄板層１１の外部に貼着されるパターン層１２と、を有する。パターン層１２は、例えば、プラスチックシート又は布からなり、鉄板層１１上に接着される。パターン層１２上には、所定のマーク又はパターンを印刷又は刺繍することができる。
【００２５】
図１に示す本考案の第１実施形態中、磁性レール２０は、一体成形された磁性部材からなる。磁性部材は、例えば、硬質磁石又は軟質磁石である。磁性レール２０は、磁気吸引底板１０の鉄板層１１上に吸着させることができる。磁性レール２０の幅は、玩具車両３０の両側の車輪３１を跨設可能な幅である。また、磁性レール２０の厚さにより、玩具車両３０は、磁性レール２０にガイドされながら移動する。当然、磁性レール２０の厚さ及び幅は、実際の必要性に応じて適切に変更することができる。
【００２６】
玩具車両３０は、発条力、電力又は太陽光発電電力によって駆動される上、４つ又は多数の車輪３１を有する。玩具車両３０の左右両側の車輪３１は、磁性レール２０上に跨設されて移動する。
【００２７】
図２に示すように、磁気吸引底板１０が鉄板層１１を有するため、磁気吸引底板１０上に、磁石１１０を介して他の装飾品１００（例えば、樹木又は人形）を吸着させることができる。これにより、磁性レール構造１全体の美観性、遊戯性及び多様性を高めることができる。
【００２８】
（第２実施形態）
図３〜図６を参照する。図３〜図６に示すように、本考案の第２実施形態による磁性レール構造１は、磁性レール２０が多数の磁性レール部２１が組合されて構成される点が第１実施形態と異なる。各磁性レール部２１は、磁気吸引底板１０に吸着される上、一本のレール２０に組合される。各磁性レール部２１は、例えば、一繋がりの楕円形の磁性レール２０（図４参照）、Ｓ字形の磁性レール２０（図５参照）、Ｕ字形の磁性レール２０（図６参照）などに組合される。当然、磁性レール２１の配列方式は、上述の方式のみに限定されず、ユーザの好みに基づき、変更することができる。このように、遊戯性及び多様性を高めることができる。
【００２９】
各磁性レール部２１は、第１実施形態に類似し、磁性部材からなる。これにより、磁気吸引底板１０の鉄板層１１上に、磁性レール部２１を吸着させることができる。また、磁性レール部２１の幅は、玩具車両３０の車輪３１を跨設し、移動させることができる幅である。また、磁性レール部２１の厚さにより、玩具車両３０は、磁性レール部２１が組合されて構成された磁性レール２０にガイドされながら移動する。当然、磁性レール部２１の厚さ及び幅は、実際の必要性に応じて適宜変更することができる。
【００３０】
（第３実施形態）
図７を参照する。図７に示すように、本考案の第３実施形態による磁性レール構造１においては、玩具車両３０の車輪３１’が玩具車両３０の底部中央に配置される上、磁性レール２０の上表面に、車輪３１’をガイドしながら移動させるために用いられるガイド溝２２が設けられる点が第１実施形態と異なる。さらに詳細に説明すると、ガイド溝２２の幅は、車輪３１’の幅より広い。これにより、車輪３１’は、ガイド溝２２内に設置されたとき、ガイド溝２２によってガイドされながらスムーズに移動することができる。これにより、玩具車両３０は、ガイド溝２２に沿って安定的にスムーズに移動し、好適な遊戯効果を得ることができる。当然、図１に示す一体成形式の磁性レール２０又は図３に示す多数の磁性レール部が組合される方式の磁性レール２０にガイド溝２２を設けてもよい。
【００３１】
本考案の磁性レール構造１においては、磁性レール部２１を任意に組合せることができるため、ユーザは、選択的に多数の磁気吸引底板１０を準備し、これらの磁気吸引底板１０を接続して遊戯面積を拡大させることができる。即ち、図３に示すように、４つの磁気吸引底板１０を互いに接続し、磁性部材からなる磁性固定板４０を４つの磁気吸引底板１０の底面に吸着させることにより、磁気吸引底板１０が分離するのが防止される。
【００３２】
図３〜図７に示す磁性レール部２１は、磁性部材からなる。ここで、当業者であれば容易に分かるように、普通紙などの非磁性材料を用いて所定の厚さの非磁性本体を構成し、その後、非磁性本体の両端に磁石を接着して磁性レール部２１を構成してもよい。この磁石が貼着された非磁性本体は、上述の磁性レール部２１と同一の効果を有する。また、極性が異なる磁石が互いに吸引し合う現象を利用し、磁石が貼着された多数の非磁性本体を直列接続させてもよい。
【００３３】
（第４実施形態）
図８及び図９を参照する。図８及び図９に示すように、本考案の第４実施形態による磁性レール構造１においては、磁性レール２０’が複数の磁性板体２１’と磁性板体２２’（又は磁性板体２３’と磁性板体２４’）とが組合されることによって構成される点が第３実施形態と異なる。即ち、任意の磁性板体２１’と磁性板体２２’との間の隙間が直列接続されることにより、磁性レール２０’が形成される。これにより、図７に示す玩具車両３０の車輪３１’は、図８中の磁性板体２１’と磁性板体２２’とが組合されて構成される磁性レール２０’上、或いは、図９中の磁性板体２３’と磁性板体２４’とが組合されて構成される磁性レール２０’上を移動することができる。
【００３４】
本考案の磁性レール構造１は、従来技術と比較し、以下（１）及び（２）の効果を有する。
（１）磁気吸引底板１０が薄型の鉄板を有するため、磁気吸引底板１０上に、磁石１１０を介して他の装飾品１００を吸着させ、磁気吸引底板１０の背景及び装飾を変更することができる。また、磁性レール部２１が磁性部材（硬質磁石又は軟質磁石）からなるため、鉄製の磁気吸引底板１０上の任意の位置に、磁性レール部２１を吸着させ、様々な路線のレールを形成することができる。さらに、磁性部材からなる磁性レール部２１上に着色することができるため、極めて高い遊戯性及び多様性を有する上、ユーザの想像力及び創造力を表現することができる。
（２）磁性レール部２１及び磁気吸引底板１０がプラスチック製品ではないため、メーカは、従来の磁性レール構造のように、様々な金型を製作し、様々な形状の磁性レール部２１を製造する必要がない。さらに、異なるレール路線毎に、対応する磁気吸引底板１０をそれぞれ設計する必要がない。これにより、金型コスト及び製造コストを節約することができる。また、販売業者も在庫種類及び販売コストを低減させることができる。
【００３５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３６】
１      磁性レール構造
１０    磁気吸引底板
１１    鉄板層
１２    パターン層
２０    磁性レール
２０’  磁性レール
２１    磁性レール部
２１’  磁性板体
２２    ガイド溝
２２’  磁性板体
２３’  磁性板体
２４’  磁性板体
３０    玩具車両
３１    車輪
３１’  車輪
４０    磁性固定板
１００  装飾品
１１０  磁石
【図１】
0003168208.tif 000003
【図２】
0003168208.tif 000004
【図３】
0003168208.tif 000005
【図４】
0003168208.tif 000006
【図５】
0003168208.tif 000007
【図６】
0003168208.tif 000008
【図７】
0003168208.tif 000009
【図８】
0003168208.tif 000010
【図９】
0003168208.tif 000011